(57)【要約】【要  約】【課  題】    滑らずに物を上手に掴むことができるとともに、洗う際に、その汚れが落ちやすい箸を提供する。【解決手段】  箸本体（２）の先端部に膨出部（３）および波打ち部（４）が先端側から順次形成されている箸であって、前記波打ち部は谷部（６）と山部（７）とで滑らかに構成されており、前記膨出部は、その先端がカットされてカット面（３ａ）が形成され、このカット面の周縁から後ろ側に行くほど大径となる略円錐台状の前側テーパ面（３ｂ）が形成され、この前側テーパ面の後縁から後ろ側に行くほど小径となる膨出部後面（３ｃ）が形成されており、この膨出部後面は、その後端が波打ち部の前端に滑らかに連続している。【選択図】  図３
2006020700.tif 000002
【特許請求の範囲】
【請求項１】
箸本体の先端部に膨出部および波打ち部が先端側から順次形成されている箸であって、
前記波打ち部は谷部と山部とで滑らかに構成されており、
前記膨出部は、その先端がカットされてカット面が形成され、
このカット面の周縁から後ろ側に行くほど大径となる略円錐台状の前側テーパ面が形成され、
この前側テーパ面の後縁から後ろ側に行くほど小径となる膨出部後面が形成されており、
この膨出部後面は、その後端が波打ち部の前端に滑らかに連続していることを特徴とする箸。
【請求項２】
前記波打ち部の山部は、前側部分と後側部分とが略対称に湾曲していることを特徴とする請求項１記載の箸。
【請求項３】
前記膨出部の前側テーパ面と箸の軸線とのなす角度が、膨出部後面と箸の軸線とのなす角度よりも小さいことを特徴とする請求項１または２記載の箸。
【請求項４】
前記膨出部および波打ち部における軸線に垂直な断面が略円形であることを特徴とする請求項１，２または３記載の箸。
【請求項５】
箸本体は先細に形成され、この先細部に続いて、波打ち部および膨出部が先端側に向かって順次形成され、
前記先細部の前端が波打ち部の山部に滑らかに連続されていることを特徴とする請求項１，２，３または４記載の箸。
【発明の詳細な説明】
【技術分野】
【０００１】
本発明は、食事などの際に使用する箸に関する。
【背景技術】
【０００２】
箸（特に塗り箸）で物（たとえば、うどんや煮豆など）を掴もうとすると、物が箸から滑り、なかなか上手に掴むことができない。
【０００３】
そこで、従来、箸の先端部に多数の溝を形成したり、箸の先端部の表面を粗面にしたりして、物が箸から滑り落ちないようにしているものがある。しかしながら、この様に、箸の先端部に溝を形成したり、箸の先端部の表面を粗面にしたりすると、食べものなどの汚れが箸の先端部の溝や粗面にこびりつき、箸を洗う際に、その汚れが落ち難くなる。
【特許文献１】特に、無し。
【発明の開示】
【発明が解決しようとする課題】
【０００４】
解決しようとする問題点は、滑らずに物を上手に掴むことができるように、箸の先端部に溝を形成したり、箸の先端部の表面を粗面にしたりすると、食べものなどの汚れが箸の先端部の溝や粗面にこびりつき、箸を洗う際に、その汚れが落ち難くなる点である。
【課題を解決するための手段】
【０００５】
本発明の箸（１ａ，１ｂ）は、箸本体（２）の先端部に膨出部（３）および波打ち部（４）が先端側から順次形成されている箸であって、前記波打ち部は谷部（６）と山部（７）とで滑らかに構成されており、前記膨出部は、その先端がカットされてカット面（３ａ）が形成され、このカット面の周縁から後ろ側に行くほど大径となる略円錐台状の前側テーパ面（３ｂ）が形成され、この前側テーパ面の後縁から後ろ側に行くほど小径となる膨出部後面（３ｃ）が形成されており、この膨出部後面は、その後端が波打ち部の前端に滑らかに連続していることを特徴とする。
【０００６】
また、前記波打ち部の山部は、前側部分と後側部分とが略対称に湾曲している場合がある。
そして、前記膨出部の前側テーパ面と箸の軸線（Ｌ）とのなす角度（θ１）が、膨出部後面と箸の軸線とのなす角度（θ２）よりも小さい場合がある。
【０００７】
さらに、前記膨出部および波打ち部における軸線に垂直な断面が略円形である場合がある。
また、箸本体が先細に形成され、この先細部（８）に続いて、波打ち部および膨出部が先端側に向かって順次形成され、前記先細部の前端が波打ち部の山部に滑らかに連続されている場合がある。
【発明の効果】
【０００８】
本発明によれば、箸本体の先端部に膨出部および波打ち部が先端側から順次形成され、波打ち部は谷部と山部とで滑らかに構成されており、膨出部はその先端のカット面の周縁から後ろ側に行くほど大径となる略円錐台状の前側テーパ面が形成され、この前側テーパ面の後縁から後ろ側に行くほど小径となる膨出部後面が形成されているので、箸で物を挟む際に、前側テーパ面と膨出部後面との間の角部や波打ち部の山部が物に食い込んだ状態となり、物を確実に挟持することができる。しかも、膨出部後面は、その後端が波打ち部の前端に滑らかに連続して形成されており、箸の表面は滑らかである（すなわち、箸の先端部に溝や粗面が形成されていない）ので、汚れが箸にこびり付くことを防止することができる。その結果、箸から汚れを簡単に落とすことができる。
【０００９】
また、膨出部の前側テーパ面と箸の軸線とのなす角度が、膨出部後面と箸の軸線とのなす角度よりも小さい場合には、膨出部後面と箸の軸線とのなす角度が大きくなり、箸で物を掴んで持ち上げる際に、物が膨出部後面に引っ掛かりやすくなり、物が箸から落ちることを極力防止することができる。
【００１０】
さらに、箸本体は先細に形成され、この先細部に続いて、波打ち部および膨出部が先端側に向かって順次形成され、前記先細部の前端が波打ち部の山部に滑らかに連続されている場合には、先細部の前端を波打ち部の谷部に連続するものに比して、先細部の径を太くできるので、箸が折れるおそれが減少する。
【発明を実施するための最良の形態】
【００１１】
滑らずに物を上手に掴むことができるとともに、洗う際に、その汚れが落ちやすい箸を提供するという目的を、箸本体の先端部に膨出部および波打ち部が先端側から順次形成され、この膨出部の先端のカット面の周縁から後ろ側に行くほど大径となる略円錐台状の前側テーパ面を形成し、この前側テーパ面の後縁から後ろ側に行くほど小径となる膨出部後面を形成しており、この膨出部後面の後端を波打ち部の前端に滑らかに連続させることにより実現した。
【実施例１】
【００１２】
次に、本発明における箸の第１実施例について、図１ないし図３を用いて説明する。図１は本発明における第１実施例の箸の正面図である。図２は図１の箸の要部拡大図である。図３は箸で物を掴んだ状態の説明図である。なお、この明細書において、箸の物を掴む側を前側としている。
【００１３】
この実施例の箸１ａ，１ｂは、通常の箸と同様に、二本一組で構成されているとともに、各箸１ａ，１ｂの形状は同じ形状である。この各箸１ａ，１ｂは、手で掴む部分側（図１の範囲Ａ）の断面が略円形または矩形であり、また、手で掴む部分Ａよりも前側すなわち先端側（図１の範囲Ｂ）の断面が略円形である。
【００１４】
そして、各箸１ａ，１ｂの箸本体２は、手で掴む部分Ａよりも前側の部分Ｃが先細に形成され、先細部８となっている。また、箸本体２の先端部は膨らんでおり、膨出部３が形成され、この膨出部３から後側に、正面図示（図１参照）で波打ちして波打ち部４が形成されている。
【００１５】
膨出部３は、その先端がカットされて略円形のカット面３ａが形成されている。このカット面３ａの周縁から後ろ側に行くほど大径となる略円錐台状の前側テーパ面３ｂが形成されている。この前側テーパ面３ｂの後縁から後ろ側に行くほど小径となる膨出部後面３ｃが形成されている。
【００１６】
膨出部３の前側テーパ面３ｂと軸線Ｌとのなす角度θ１（図２参照）は、膨出部３の膨出部後面３ｃと軸線Ｌとのなす角度θ２よりも小さく、かつ、箸本体２の先細の周面２ａと軸線Ｌとのなす角度θ３よりも大きく形成されている。
【００１７】
また、膨出部３のカット面３ａと前側テーパ面３ｂとの角部および、膨出部３の前側テーパ面３ｂと膨出部後面３ｃとの角部はそれぞれ丸みＲ１，Ｒ２が付けられている。丸みＲ１の曲率半径は丸みＲ２の曲率半径よりも小さい。
【００１８】
波打ち部４は、交互に配置された谷部６および山部７で構成され、一番前側の谷部６は膨出部３の膨出部後面３ｃに滑らかに連続している。各谷部６同士の間隔および、各山部７同士の間隔は略等間隔で形成されている。そして、一番後側の山部７の頂部から箸本体２の先細のテーパ状の周面２ａに滑らかに連続して形成されている。各谷部６および山部７は滑らかに湾曲しているとともに、各谷部６および山部７の中心線ｃを軸として前側部分と後側部分とが略対称である。谷部６および山部７の個数は適宜選択可能であるが、この第１実施例においては、谷部６は４個で、山部７は、頂部が箸本体２の先細のテーパ状の周面２ａに連続されるものを含めて４個である。
【００１９】
この様にして、箸１ａ，１ｂの箸本体２は、手で掴む部分Ａよりも前側が先細のテーパ状に形成され、このテーパ状の先細部８に続いて、波打ち部４および膨出部３が先端側に向かって順次形成されている。
【００２０】
この様に構成されている箸１ａ，１ｂで、煮豆やうどんなどの物１１を挟むと、図３に図示するように、膨出部３の前側テーパ面３ｂと膨出部後面３ｃとの間の角部が、物１１に食い込む状態となり、安定して物１１を挟持することができる。そして、膨出部後面３ｃと軸線Ｌとのなす角度θ２が、前側テーパ面３ｂと軸線Ｌとのなす角度θ１よりも大きいため、箸１ａ，１ｂで物１１を挟持した状態で持ち上げた際に、物１１が膨出部後面３ｃに引っ掛かり下方に滑り落ちることが減少する。しかも、挟む物１１が大きな場合には、膨出部３とともに、山部７も物１１に食い込むため、大きなものを安定して保持することができる。
【００２１】
また、箸１ａ，１ｂの先端部に溝や粗面がないため、汚れがこびり付き難く、食後などに箸１ａ，１ｂを洗浄する際に、汚れを簡単に落とすことができる。
【実施例２】
【００２２】
次に、本発明における箸の第２実施例について説明する。図４は第２実施例の正面図である。なお、この第２実施例の説明において、前記第１実施例の構成要素に対応する構成要素には同一符号を付して、その詳細な説明は省略する。
【００２３】
前述の第１実施例では、谷部６および山部７は各々４個であるが、第２実施例では、谷部６および山部７が各々３個で構成されている。
【実施例３】
【００２４】
次に、本発明における箸の第３実施例について説明する。図５は第３実施例の正面図である。なお、この第３実施例の説明において、前記第１実施例の構成要素に対応する構成要素には同一符号を付して、その詳細な説明は省略する。
【００２５】
前述の第１実施例では、波打ち部４は、一番後側の山部７の頂部から箸本体２のテーパ状の先細部８の周面２ａに滑らかに連続して形成されているが、第３実施例では、一番後側の谷部６の底部から箸本体２のテーパ状の先細部８の周面２ａに滑らかに連続して形成されている。ただし、デザインなどの種々の理由により、この様に構成することも可能であるが、箸本体２の先細の周面２ａと軸線Ｌとのなす角度θ３が大きくなり、先細部８が全体的に細くなり、折れやすくなる。
【００２６】
以上、本発明の実施例を詳述したが、本発明は、前記実施例に限定されるものではなく、特許請求の範囲に記載された本発明の要旨の範囲内で、種々の変更を行うことが可能である。本発明の変更例を下記に例示する。
（１）箸１ａ，１ｂの材質などは適宜選択可能である。
（２）谷部６および山部７の個数は適宜選択可能である。たとえば、山部７を１個にすることも可能である。
（３）波打ち部４の後端側は、一番後側の谷部６または山部７の中間位置（すなわち、底部や頂部以外の箇所）から、箸本体２の先細のテーパ状の周面２ａに滑らかに連続することも可能である。
【００２７】
（４）実施例の谷部６の底部は正面図示で曲線状をしているが、略直線状にすることも可能である。
（５）各谷部６の底部の断面の径は略同じであることも可能であるし、また、先端側に行くほど小さくなることも可能である。同様に、各山部７の頂部の断面の径は略同じであることも可能であるし、また、先端側に行くほど小さくなることも可能である。
（６）各谷部６同士の間隔および、各山部７同士の間隔は略等間隔であることが好ましいが、必ずしも、等間隔である必要はない。
（７）各谷部６および山部７は滑らかであれば、必ずしも、中心線ｃを軸として前側部分と後側部分とが対称である必要はない。ただし、中心線ｃを軸として前側部分と後側部分とが略対称であることが好ましい。
【図面の簡単な説明】
【００２８】
【図１】図１は本発明における第１実施例の箸の正面図である。
【図２】図２は図１の箸の要部拡大図である。
【図３】図３は箸で物を掴んだ状態の説明図である。
【図４】図４は第２実施例の正面図である。
【図５】図５は第３実施例の正面図である。
【符号の説明】
【００２９】
Ｌ  箸の軸線
θ１  膨出部の前側テーパ面と箸の軸線とのなす角度
θ２  膨出部後面と箸の軸線とのなす角度
θ３  箸本体の先細の周面と箸の軸線とのなす角度
１ａ，１ｂ  箸
２  箸本体
２ａ  箸本体の周面
３  膨出部
３ａ  カット面
３ｂ  前側テーパ面
３ｃ  膨出部後面
４  波打ち部
６  谷部
７  山部
８  先細部
【図１】
2006020700.tif 000003
【図２】
2006020700.tif 000004
【図３】
2006020700.tif 000005
【図４】
2006020700.tif 000006
【図５】
2006020700.tif 000007